(57)【要約】【課題】従属項目の表示開始から表示終了までの所要時間が主項目毎に異なることによる従属項目の表示における各主項目間の相対的遅延がユーザに与えがちの違和感又は不愉快感を防止することが出来る表示装置を提供する。【解決手段】従属項目の表示指示を受付ける受付部１３が一の主項目の従属項目の表示指示を受付けてから前記従属項目の表示が開始されるまでの待ち時間を決定する決定手段と、該決定手段の決定結果に基づき、前記従属項目の表示を開始する表示手段とを備え、各主項目の従属項目の表示が同一時刻に完了するように合わせる。【選択図】図１
2008108218.tif 000002
【特許請求の範囲】
【請求項１】
メニューを構成する複数の主項目毎に一又は複数の従属項目が従属されており、従属項目の表示指示を受付ける受付手段が一の主項目の従属項目の表示指示を受付けて前記従属項目を表示する場合、前記主項目の全従属項目の表示開始から表示完了までの所要時間が主項目毎に異なる表示装置において、    
前記受付手段が従属項目の表示指示を受付けてから前記従属項目の表示が開始されるまでの待ち時間を、各主項目の所要時間に基づいて決定する決定手段と、
該決定手段の決定結果に基づき、前記従属項目の表示を開始する表示手段と
を備えることを特徴とする表示装置。
【請求項２】
主項目毎の前記所要時間を計時する計時手段を備え、
前記決定手段は、前記計時手段による各主項目の所要時間の計時結果に基づき、主項目毎の待ち時間を決定するように構成してあることを特徴とする請求項１に記載の表示装置。
【請求項３】
主項目毎の前記所要時間又は待ち時間を記憶する記憶手段を備え、
前記表示手段は、前記記憶手段が記憶している所要時間又は待ち時間に基づき、前記従属項目の表示を開始するように構成してあることを特徴とする請求項１又は請求項２に記載の表示装置。
【請求項４】
従属項目の数に変更があったか否かを判定する項目変更有無判定手段と、
該項目変更有無判定手段の判定結果に基づき、前記記憶手段が記憶している所要時間又は待ち時間の更新を行う更新手段とを備え、
前記表示手段は、前記更新手段により更新された所要時間又は待ち時間に基づき、従属項目の表示を開始するように構成してあることを特徴とする請求項１乃至３のいずれか一つに記載の表示装置。
【発明の詳細な説明】
【技術分野】
【０００１】
本発明は、メニューを表示する表示装置に関する。
【背景技術】
【０００２】
近年の技術の発展は、各種電気機器における多機能化を実現してきた。つまり、各電気機器は高機能、使用上利便さ、省エネルギーなどを求めてその電気機器本来の機能に加え、様々な付加的又は補助的機能を備えることとなった。
【０００３】
また、このような電気機器の多機能化により、ユーザが多機能を持つ電気機器を有効に使用できるようにするための機能、つまりその電気機器が有する機能、操作方法などをユーザに説明する例えば、メニュー表示機能の強化及び適切な活用が要求されることとなった。このような必要に応じて、特許文献１では、個々の機能に合わせてメニュー、アイコン等の操作オブジェクトの表示速度、例えばマウスポイントの移動速度などの表示方法を動的に制御し、ユーザに予測処理時間の長さを認識させることにより、ユーザが処理時間を予測して作業の順序を調整できるユーザインタフェース装置を提供している。
【特許文献１】特開平５−２３３１９０号公報
【発明の開示】
【発明が解決しようとする課題】
【０００４】
しかし、電気機器の多機能化による電気機器の機能の増加は、メニューに説明すべき項目の増加を伴うので、使い勝手がむしろ悪くなるといった問題がある。
【０００５】
例えば、複数の主項目を含むメニューが表示される場合、数多い従属項目を有する主項目と、従属項目の数が少ない主項目との間には、その従属項目の表示開始から表示完了までの所要時間に差が生じる。従って、ユーザが従属項目の表示に係る操作を連続的に複数の主項目に対して行った場合、所要時間が長い従属項目の表示に対しては遅延感を感じるようになる。また、このような主項目の従属項目の表示における相対的遅延は、ユーザに違和感又は不愉快感を与える恐れがある。しかしながら、特許文献１のユーザインタフェース装置ではこのような問題を解決することが出来ない。
【０００６】
本発明は、斯かる事情に鑑みてなされたものであり、その目的は、従属項目の表示指示を受付けてから前記従属項目の表示が開始されるまでの待ち時間を決定する決定手段と、該決定手段の決定結果に基づき、前記従属項目の表示を開始する表示手段とを備えることにより、各主項目の従属項目の表示が同一時刻に完了するように合わせ、従属項目の表示における相対的遅延がユーザに与えがちの違和感又は不愉快感を防止することが出来る表示装置を提供することにある。
【０００７】
また、本発明の他の目的は、主項目毎の前記所要時間を計時する計時手段を備え、該計時手段による各主項目の計時結果に基づき、前記決定手段が主項目毎の待ち時間を決定するように構成することにより、従属項目の増減に伴う主項目に係る前記所要時間の変更に対応することが出来る表示装置を提供することにある。
【０００８】
また、本発明の他の目的は、主項目毎の所要時間又は前記待ち時間を記憶する記憶手段を備えることにより、各主項目に対する前記所要時間の計時を省略して前記記憶手段が記憶している所要時間又は待ち時間に基づいて従属項目の表示を行い、処理の簡略化が実現できる表示装置を提供することにある。
【０００９】
また、本発明の他の目的は、従属項目の数に変更があったか否かを判定し、変更があったと判定された場合、前記記憶手段が記憶している所要時間又は待ち時間の更新を行うことにより、従属項目の数に変更が発生した場合であっても、該変更に対応し、従属項目の表示を同一時刻に完了させることが出来る表示装置を提供することにある。
【課題を解決するための手段】
【００１０】
本発明に係る表示装置は、メニューを構成する複数の主項目毎に一又は複数の従属項目が従属されており、従属項目の表示指示を受付ける受付手段が一の主項目の従属項目の表示指示を受付けて前記従属項目を表示する場合、前記主項目の全従属項目の表示開始から表示完了までの所要時間が主項目毎に異なる表示装置において、前記受付手段が従属項目の表示指示を受付けてから前記従属項目の表示が開始されるまでの待ち時間を、各主項目の所要時間に基づいて決定する決定手段と、該決定手段の決定結果に基づき、前記従属項目の表示を開始する表示手段とを備えることを特徴とする。
【００１１】
本発明にあっては、前記受付手段が何れかの主項目の従属項目の表示指示を受付けた場合、前記決定手段により各主項目の所要時間に基づいて決定された待ち時間の経過後、前記表示手段が表示指示に係る前記従属項目の表示を開始する。
【００１２】
本発明に係る表示装置は、主項目毎の前記所要時間を計時する計時手段を備え、前記決定手段は、前記計時手段による各主項目の所要時間の計時結果に基づき、主項目毎の待ち時間を決定するように構成してあることを特徴とする。
【００１３】
前記計時手段が主項目毎の所要時間を計時し、前記決定手段は計時手段による各主項目の所要時間の計時結果に基づき、主項目毎の待ち時間の決定を行う。また、前記表示手段は前記決定手段により決定された待ち時間に基づき、従属項目の表示を開始する。
【００１４】
本発明に係る表示装置は、主項目毎の前記所要時間又は待ち時間を記憶する記憶手段を備え、前記表示手段は、前記記憶手段が記憶している所要時間又は待ち時間に基づき、前記従属項目の表示を開始するように構成してあることを特徴とする。
【００１５】
本発明にあっては、前記記憶手段が主項目毎の所要時間又は待ち時間を記憶しており、前記記憶手段が記憶している前記所要時間又は待ち時間に基づき、前記表示手段は従属項目の表示を開始する。
【００１６】
本発明に係る表示装置は、従属項目の数に変更があったか否かを判定する項目変更有無判定手段と、該項目変更有無判定手段の判定結果に基づき、前記記憶手段が記憶している所要時間又は待ち時間の更新を行う更新手段とを備え、前記表示手段は、前記更新手段により更新された所要時間又は待ち時間に基づき、従属項目の表示を開始するように構成してあることを特徴とする。
【００１７】
本発明にあっては、前記項目変更有無判定手段が従属項目の数に変更があったか否かを判定する。従属項目の数に変更があったと判定した場合、更新手段は前記記憶手段が既に記憶している所要時間又は待ち時間の更新を行い、更新された所要時間又は待ち時間に基づき、前記表示手段が従属項目の表示を開始する。
【発明の効果】
【００１８】
本発明によれば、従属項目の表示指示を受付けてから、前記従属項目の表示が開始されるまでの待ち時間を決定する決定手段と、該決定手段の決定結果に基づき、前記従属項目の表示を開始する表示手段とを備え、各主項目の従属項目の表示を同一時刻に完了させるので、従属項目を表示する際、各主項目に係る所要時間の差により、ユーザに与えがちの違和感又は不愉快感を防止する。
【００１９】
本発明によれば、各主項目に係る前記所要時間を計時する計時手段を備え、該計時手段の計時結果に基づき、前記決定手段が前記待ち時間を決定するように構成しているので、従属項目の増減に伴う主項目に係る前記所要時間の変更に対応することが出来る。
【００２０】
本発明によれば、主項目毎の所要時間又は待ち時間を記憶する記憶手段を備え、各主項目に対する前記所要時間の計時を省略して前記記憶手段が記憶している所要時間又は待ち時間に基づいて従属項目の表示を行うので、全体的に処理の簡略化が実現できる。
【００２１】
本発明によれば、従属項目の数に変更があったか否かを判定し、変更があったと判定された場合は前記記憶手段が記憶している所要時間又は待ち時間の更新を行うので、従属項目の数に変更が発生した場合であっても、該変更に対応し、従属項目の表示を同一時刻に完了させることが出来る。
【発明を実施するための最良の形態】
【００２２】
（実施の形態１）
以下、本発明に係る表示装置を、投影型画像表示装置を例とし、その実施の形態を示す図面に基づいて詳述する。図１は本発明の実施の形態１に係る投影型画像表示装置１の内部構成を示すブロック図である。本発明の実施の形態１に係る投影型画像表示装置１は光源装置３を備えている。光源装置３は、例えば超高圧水銀ランプ、メタルハライドランプ等の発光体４を有しており、発光体４が発した白色光は、回転放物面状の反射鏡によって反射されてカラーホイール５を透過し、ロッドインテグレータ９に入射する。
【００２３】
カラーホイール５は、赤・緑・青の光を夫々透過させる扇状のカラーフィルタを周方向に配しており、カラーフィルタの回転通過域に光源装置３の投光域が位置するように配置されている。
【００２４】
カラーホイール５の中心部には、モータ駆動部６により回転駆動されるモータ７の出力軸が接続されており、モータ駆動部６はモータ７を等速回転させる。モータ７の回転は、マイクロコンピュータからなる制御部８によって制御される。
【００２５】
カラーホイール５が等速回転している場合、白色光は赤色、緑色及び青色のカラーフィルタに順次的に入射し、時系列で赤・緑・青の光に色時分割される。色時分割された光は、略長方形のロッドインテグレータ９の入射口に入射し、入射した光は、ロッドインテグレータ９の内面で反射を繰り返して均一な光となり、出射口から照明レンズ群１０に入射する。
【００２６】
照明レンズ群１０は、例えばコンデンサレンズ及びリレーレンズからなり、白色光を空間光変調素子１１、例えばＤＭＤに入射させる。ＤＭＤは、画像データに係る画像の各ドットに対応付けられた複数の微小可動ミラーを備えている。ＤＭＤにはＤＭＤ駆動部１２が接続されており、ＤＭＤ駆動部１２は、制御部８から与えられた画像データに基づいて、色時分割された赤・緑・青の光が、投影レンズ２へ又は投影レンズ２外へ選択的に反射するように、各微小可動ミラーを選択的に±１０度傾ける。ＤＭＤに入射した光は、ＤＭＤの微小可動ミラーにより光変調され、光変調された変調光は、投影レンズ２に入射する。
【００２７】
投影レンズ２は、変調光、即ち画像を拡大表示する光を被投影体２０に投影する。その結果、画像データに係る画像が被投影体２０に色時分割表示される。
【００２８】
図２は制御部８の要部構成を示すブロック図である。制御部８は、ＣＰＵ８１、ＲＯＭ８２、ＲＡＭ８３、計時部８４、記憶部８５及び入出力ポート８６から成る。
【００２９】
ＣＰＵ８１は、内部バスを介して前述した制御部８のハードウェア各部と接続されており、計時部８４に計時の指示、記憶部８５に計時部８４による計時結果の記憶の指示などを行う。
【００３０】
ＲＯＭ８２には各種処理を行うためのプログラム、メニュー画像を作成するためのメニュー画像情報が格納されている。また、ＲＯＭ８２にはメニューを構成する主項目に従属される各従属項目の操作および操作による設定に係る情報が記憶されている。ＣＰＵ８１のワーキングエリアとしての役割をなすＲＡＭ８３は、プログラムの実行時に発生する一時的なデータを記憶する。
【００３１】
計時部８４はＣＰＵ８１の指示に応じて主項目毎の所要時間の計時を行ない、入出力ポート８６には、モータ駆動部６、ＤＭＤ駆動部１２、受付部１３等が接続されている。
【００３２】
記憶部８５は例えばＥＰＲＯＭ又はＥＥＰＲＯＭからなり、計時部８４により計時された所要時間と、所要時間に係る主項目とを記憶する。また、記憶部８５には各主項目の従属項目の表示に係る情報及び各従属項目の設定値などが記憶される。
【００３３】
また、投影型画像表示装置１はユーザからの指示を受付ける受付部１３を備えている。受付部１３は、オン／オフボタン、カーソルを移動させる移動ボタン、メニューを表示させるためのメニューボタンなどを備え、オン／オフ、メニュー表示、従属項目の表示などの指示を受付ける。メニューの主項目及び従属項目の選択並びに、各従属項目に対する設定・調整は、受付部１３に備えた移動ボタンを操作することにより行われる。また、受付部１３は遠隔で操作を行うリモートコントローラでも良く、投影型画像表示装置１の本体に設けた操作パネルであっても良い。以下では、操作パネルを使用する場合を例として説明する。
【００３４】
図３は投影型画像表示装置１により被投影体２０に投影される主項目のみからなるメニュー画像のイメージを示す説明図である。前記メニュー画像には被投影体２０に投影される画像の明るさ、明暗などを調整するための主項目である画像調整と、画像の色の調整において、入力信号と出力信号のバランスつまり、ガンマの調整によって行うための主項目であるガンマと、周波数、トラッキングの値などを調整して位相調整を行うための主項目であるシンクと、オーディオデータ、ビデオデータなどに対する詳細な設定を行うための主項目であるオプションと、希望する言語を選択するための主項目である言語とが表示されている。
【００３５】
各主項目は夫々従属項目を有している。図４は従属項目を説明するためのメニュー画像のイメージを示す説明図である。図４には説明の便宜上、２つの主項目の従属項目を同時に示している。例えば主項目の画像調整は、明暗の差を調整するためのコントラスト、画像を明るく又は暗く調整するための明るさ、画像を薄く又は濃く調整するための色の濃さ、紫がかった色合い又は緑がかった色合いに調整するための色合い、画像の輪郭をやわらかく又はくっきりさせるためのシャープネス、温かい感じの色又はすっきりした感じの色に調整するための色温度、新しい従属項目を追加するためのアドバンスドなどの従属項目を有している。また、主項目のガンマは、ガンマ、白色、青色の調整において、全体的な色の調整により行うオールカラーと、赤（Ｒ）、緑（Ｇ）及び青（Ｂ）毎に行うための赤調整、緑調整、青調整の従属項目を夫々有している。
【００３６】
図５は従属項目の操作を説明するための説明図である。図５には説明の便宜上、コントラスト、明るさ、色の濃さ、色合いの４つの従属項目が同時に選択された場合を示している。従属項目が選択された場合、左右の＋又は−方向に移動するスライドバーと、スライドバーの移動を表す数字（括弧の中）が表示される。設定値が標準値である場合、スライドバーは＋上限及び−下限の中心に位置しており、括弧の中には０の数字が表示される（色温度及び白伸長を除く）。ユーザは受付部１３に備えた移動ボタンを操作することにより、スライドバーを＋又は−方向に移動させ、設定値を変えることが出来、スライドバーの移動による設定値変化が数字として括弧の中に表示される。例えば、明るさの従属項目の場合、＋方向に所定距離スライドバーを移動させており、移動距離に該当する数字１５が括弧の中に表示されている。一方、色の濃さの従属項目の場合、−方向に所定距離スライドバーを移動させており、移動距離に該当する数字−３０が括弧の中に表示されている。
【００３７】
一方、各主項目は従属項目の数、各従属項目を表示するためのデータ量などが異なるので、各主項目の間には、従属項目の表示に要する所要時間、つまり表示開始から表示完了までの時間に差が発生する。また、このような従属項目の表示における各主項目間の相対的な遅延は、ユーザに違和感又は不愉快感を与えることになる。このような問題は各主項目の従属項目の表示完了時間、詳しくは従属項目の表示指示を受付けてから、表示を完了するまでの時間を同一にすることにより、解決される。
【００３８】
表示完了時間を同一にすることは、各主項目の従属項目の表示を開始する時刻を調整することにより、実現できる。つまり、各主項目の従属項目の所要時間に基づき、従属項目の表示完了時間（又は表示完了時刻）が同一になるよう、表示開始時刻を調整することである。
【００３９】
図６及び図７は前記所要時間を計時するためのＣＰＵ８１の処理順序を説明するフローチャートである。
【００４０】
受付部１３がメニュー表示指示を受付けた場合（Ｓ１０１）、ＣＰＵ８１はＲＯＭ８２に記憶しているメニュー画像情報を読出してメニュー画像を作成し、被投影体２０に主項目のみからなるメニューを表示する（Ｓ１０２）。
【００４１】
また、受付部１３が一の主項目の従属項目の表示指示を受付けた場合（Ｓ１０３）、ＣＰＵ８１は計時部８４に所要時間の計時開始を指示し（Ｓ１０４）、記憶部８５から前記一の主項目の従属項目の表示に係る情報を読出し、従属項目の表示を開始する。前記一の主項目の従属項目が表示された場合（Ｓ１０５）、つまり表示が完了した場合、ＣＰＵ８１は計時部８４に所要時間の計時終了を指示する（Ｓ１０６）。計時部８４により計時された所要時間は、該所要時間に係る主項目と共に記憶部８５に記憶される（Ｓ１０７）。
【００４２】
次いで、受付部１３が何れかの主項目の従属項目の表示指示を受付けた場合（Ｓ１０８）、ＣＰＵ８１は記憶部８５が記憶している情報に基づき、表示指示に係る主項目が既に所要時間の計時が行なわれた計時済みの主項目か否かを判定する（Ｓ１０９）。
【００４３】
前記判定の結果、表示指示に係る主項目が計時済みの主項目であると判定した場合（Ｓ１０９：ＹＥＳ）、ＣＰＵ８１は表示指示に係る主項目の従属項目を被投影体２０に表示する（Ｓ１１０）。一方、表示指示に係る主項目が計時済みの主項目でないと判定した場合（Ｓ１０９：ＮＯ）、ＣＰＵ８１は計時部８４に所要時間の計時開始を指示し（Ｓ１１１）、従属項目の表示を開始する。前記主項目の従属項目が表示された場合（Ｓ１１２）、つまり表示が完了した場合、ＣＰＵ８１は計時部８４に所要時間の計時終了を指示する（Ｓ１１３）。計時部８４により計時された所要時間は、該所要時間に係る主項目と共に記憶部８５に記憶される（Ｓ１１４）。
【００４４】
次いで、ＣＰＵ８１は記憶部８５が記憶している情報に基づき、全主項目に対する所要時間の計時が完了したか否かを判定する（Ｓ１１５）。全主項目に対する所要時間の計時が完了していないと判定した場合（Ｓ１１５：ＮＯ）、ＣＰＵ８１はＳ１０８に戻る。
【００４５】
一方、全主項目に対する所要時間の計時が完了したと判定した場合（Ｓ１１５：ＹＥＳ）、ＣＰＵ８１は記憶部８５が記憶している情報に基づき、全ての主項目の中、最長所要時間に係る主項目を記憶部８５に記憶する（Ｓ１１６）。
【００４６】
上述のような処理を行うことにより、記憶部８５には各主項目の所要時間及び最長所要時間に係る主項目の情報が記憶されることとなる。この処理は、最初のセットアップの際又は一定時間毎に行う。
【００４７】
図８は記憶部８５が記憶している情報に基づき、各主項目の従属項目の表示を同一時刻に完了させるためのＣＰＵ８１の処理順序を説明するフローチャートである。
【００４８】
受付部１３がメニュー表示指示を受付けた場合（Ｓ２０１）、ＣＰＵ８１はＲＯＭ８２に記憶しているメニュー画像情報を読出して主項目のみからなるメニュー画像を作成し、被投影体２０にメニューを表示する（Ｓ２０２）。
【００４９】
また、受付部１３が一の主項目の従属項目の表示指示を受付けた場合（Ｓ２０３）、ＣＰＵ８１は記憶部８５が記憶している情報に基づき、表示指示に係る主項目が最長所要時間に係る主項目であるか否かを判定する（Ｓ２０４）。
【００５０】
判定の結果、表示指示に係る主項目が最長所要時間に係る主項目であると判定した場合（Ｓ２０４：ＹＥＳ）、ＣＰＵ８１は表示指示に係る主項目の従属項目を被投影体２０に表示する（Ｓ２０５）。
【００５１】
一方、表示指示に係る主項目が最長所要時間に係る主項目でないと判定した場合（Ｓ２０４：ＮＯ）、ＣＰＵ８１は記憶部８５が記憶している情報に基づき、前記主項目に係る待ち時間を決定する（Ｓ２０６）。詳しくは、表示指示に係る主項目の所要時間と最長所要時間との差を求めることである。
【００５２】
次いで、ＣＰＵ８１は計時部８４に表示指示に係る主項目の従属項目の所要時間と最長所要時間との差に係る時間の計時の開始を指示する（Ｓ２０７）。計時部８４は、前記差の時間が経過した場合、その旨をＣＰＵ８１に通知する。
【００５３】
計時部８４により前記差に係る時間の経過が通知された場合、ＣＰＵ８１は計時部８４に計時の終了を指示し（Ｓ２０８）、表示指示に係る主項目の従属項目を被投影体２０に表示する（Ｓ２０９）。詳しくは、前記差に係る時間の経過が通知された場合、表示指示に係る主項目の従属項目の表示が開始され、所要時間経過後に表示が完了される。
【００５４】
例えば最長所要時間が４１６ｍｓｅｃであって最長所要時間に係る主項目が言語である場合、所要時間が３２４である主項目の画像調整の従属項目の表示指示を受付けた場合、Ｓ２０６にて待ち時間（９２ｍｓｅｃ）が決定される。次いで、計時部８４が９２ｍｓｅｃの計時を行ない、９２ｍｓｅｃ経過後から、主項目の画像調整の従属項目の表示が開始される。
【００５５】
（実施の形態２）
本発明の実施の形態２に係る投影型画像表示装置１は、実施の形態１に係る投影型画像表示装置１と同一の構成であるが、記憶部８５において相違する。
【００５６】
実施の形態２に係る投影型画像表示装置１の記憶部８５は、例えばＥＰＲＯＭ又はＥＥＰＲＯＭからなり、デフォルトデータとして出荷時に予め各主項目に対する所要時間の情報が記憶されている。この所要時間の情報は、実施の形態２に係る投影型画像表示装置１の使用言語環境の変化に備えた使用言語毎の各主項目に係る所要時間の情報である。
【００５７】
図９は記憶部８５に記憶された所要時間の情報の一例を示す例示図であり、単位はｍｓｅｃである。例えば、使用言語が英語である場合、各主項目の画像調整、ガンマ、シンク、オプション、言語の従属項目を表示するための所要時間は、夫々９６、７７、３２４、９１、３５４ｍｓｅｃである。また、この場合の最長所要時間は３５４ｍｓｅｃであり、最長所要時間に係る主項目は言語である。また、最長所要時間に係る主項目はＲＡＭ８３に記憶される。以下、実施の形態２に係る投影型画像表示装置１の構成に対する詳細な説明は省略する。
【００５８】
図１０は記憶部８５が記憶している所要時間の情報に基づき、各主項目の従属項目の表示を同一時刻に完了させるためのＣＰＵ８１の処理順序を説明するフローチャートである。
【００５９】
受付部１３がメニュー表示指示を受付けた場合（Ｓ３０１）、ＣＰＵ８１はＲＯＭ８２に記憶しているメニュー画像情報を読出してメニュー画像を作成し、被投影体２０に主項目のみからなるメニューを表示する（Ｓ３０２）。
【００６０】
次いで、ＣＰＵ８１は記憶部８５から現使用の言語に係る所要時間の情報を読出し、ＲＡＭ８３に記憶する（Ｓ３０３）。また、現使用の言語に係る各主項目の所要時間の内、最長所要時間に係る主項目をＲＡＭ８３に記憶する（Ｓ３０４）。
【００６１】
また、受付部１３が一の主項目の従属項目の表示指示を受付けた場合（Ｓ３０５）、ＣＰＵ８１はＲＡＭ８３が記憶している情報に基づき、表示指示に係る主項目が最長所要時間に係る主項目であるか否かを判定する（Ｓ３０６）。
【００６２】
判定の結果、表示指示に係る主項目が最長所要時間に係る主項目であると判定した場合（Ｓ３０６：ＹＥＳ）、ＣＰＵ８１は表示指示に係る主項目の従属項目を被投影体２０に表示する（Ｓ３０７）。
【００６３】
一方、表示指示に係る主項目が最長所要時間に係る主項目でないと判定した場合（Ｓ３０６：ＮＯ）、ＣＰＵ８１はＲＡＭ８３が記憶している情報に基づき、前記主項目に係る待ち時間を決定する（Ｓ３０８）。詳しくは、表示指示に係る主項目の所要時間と最長所要時間との差を求めることである。
【００６４】
次いで、ＣＰＵ８１は計時部８４に表示指示に係る主項目の従属項目の所要時間と最長所要時間との差に係る時間の計時の開始を指示する （Ｓ３０９）。計時部８４は、前記差の時間が経過した場合、その旨をＣＰＵ８１に通知する。
【００６５】
計時部８４により前記差に係る時間の経過が通知された場合、ＣＰＵ８１は計時部８４に計時の終了を指示し（Ｓ３１０）、表示指示に係る主項目の従属項目を被投影体２０に表示する（Ｓ３１１）。
【００６６】
実施の形態２においては、記憶部８５が予め各主項目に対する所要時間の情報を記憶し、該情報に基づいて表示指示に係る主項目の従属項目の表示を行う場合について説明したが、これに限るものでない。記憶部８５が各主項目に対する所要時間の情報の代わりに、予め最長所要時間と、各主項目に係る所要時間との差、つまり待ち時間の情報を各言語別に記憶し、これに基づいて表示指示に係る主項目の従属項目の表示を行うように構成しても良い。
【００６７】
実施の形態１と同様の部分については、同一の符号を付して詳細な説明を省略する。
【００６８】
（実施の形態３）
本発明の実施の形態３に係る投影型画像表示装置１は、メニュー画像において、表示される主項目の従属項目の数が変更される。つまり、ユーザが必要に応じて画像調整の主項目に従属する従属項目のアドバンスドを操作することにより、従属項目を増減させることが可能である。
【００６９】
一般にメニュー画面に表示される従属項目は、表示スペースの問題上、比較的に頻繁に使用される従属項目のみを集めて表示しており、使用頻度の低い従属項目は表示されないようにしている。例えば、図４に示すような従属項目のアドバンスドはこのように表示されていない従属項目を全部表示させるための従属項目である。さらに、ユーザは従属項目のアドバンスドを操作することにより、必要なメニューだけをカスタマイズして表示させることも可能である。また、このような従属項目の数の変化は、従属項目の表示開始から表示完了までの時間、つまり所要時間の変更を招く。
【００７０】
本発明の実施の形態３に係る投影型画像表示装置１は、実施の形態１に係る投影型画像表示装置１と同一の構成であるが、記憶部８５において相違する。
【００７１】
実施の形態３に係る投影型画像表示装置１の記憶部８５は、例えばＥＰＲＯＭ又はＥＥＰＲＯＭからなり、デフォルトデータとして出荷時に予め各主項目に対する所要時間の情報が記憶されているが、従属項目の数の変更が生じた場合は、前記変更に対応して各主項目に対する所要時間の情報が更新される。また、記憶部８５には各主項目の従属項目の表示における一つの従属項目当たりの平均所要時間を予め記憶している。各主項目に対する所要時間の情報及び一つの従属項目当たりの平均所要時間は、実施の形態３に係る投影型画像表示装置１の使用言語環境の変化に備え、使用言語毎に記憶されている。以下、実施の形態３に係る投影型画像表示装置１の構成に対する詳細な説明は省略する。
【００７２】
図１１は記憶部８５が記憶している所要時間の情報の更新におけるＣＰＵ８１の処理順序を説明するフローチャートである。
【００７３】
受付部１３がメニュー表示指示を受付けた場合（Ｓ４０１）、ＣＰＵ８１はＲＯＭ８２に記憶しているメニュー画像情報を読出してメニュー画像を作成し、被投影体２０に主項目のみからなるメニューを表示する（Ｓ４０２）。
【００７４】
次いで、ＣＰＵ８１は記憶部８５から現使用の言語に係る所要時間の情報を読出し、ＲＡＭ８３に記憶する（Ｓ４０３）。また、現使用の言語に係る各主項目の所要時間の内、最長所要時間に係る主項目をＲＡＭ８３に記憶する（Ｓ４０４）。
【００７５】
また、ＣＰＵ８１は各主項目の従属項目の数に変更があったか否かを判定する（Ｓ４０５）。各主項目の従属項目の数に変更がないと判定した場合（Ｓ４０５：ＮＯ）、各主項目の従属項目の数に変更があるまで待つ。一方、各主項目の従属項目の数に変更があったと判定した場合（Ｓ４０５：ＹＥＳ）、記憶部８５に記憶している所要時間の情報の更新を行う（Ｓ４０６）。
【００７６】
該更新は、記憶部８５が記憶している使用言語毎の一つの従属項目当たりの表示に要する平均所要時間に、前記変更の後の各主項目の従属項目の数を乗算して夫々得た値を、既に記憶部８５に記憶している所要時間の情報の代わりに、記憶部８５に記憶することにより行う。
【００７７】
次いで、ＣＰＵ８１は更新された記憶部８５の所要時間の情報に基づき、現使用の言語に係る所要時間の情報を更新する（Ｓ４０７）。つまり、記憶部８５から現使用の言語に係る更新された所要時間の情報を読出し、ＲＡＭ８３に記憶する。
【００７８】
また、更新された現使用の言語に係る所要時間の情報に基づいて、最長所要時間に係る主項目をＲＡＭ８３に記憶することにより、既に記憶していた最長所要時間に係る主項目を更新する（Ｓ４０８）。
【００７９】
以降、従属項目の表示指示を受付けた場合、ＣＰＵ８１は上述のように更新された、記憶部８５が記憶している所要時間の情報に基づき、各主項目の従属項目の表示を同一時刻に完了させるための処理を行うが、該処理順序は実施の形態２と同様であるので詳しい説明は省略する。
【００８０】
実施の形態２と同様の部分については、同一の符号を付して詳細な説明を省略する。
【００８１】
実施の形態３においては、記憶部８５が記憶している一つの従属項目当たりの表示に要する平均所要時間に、変更の後の各主項目の従属項目の数を乗算して夫々得た値を、既に記憶部８５に記憶している所要時間の情報の代わりに、記憶部８５に記憶することにより所用時間の更新を行う場合について説明したが、これに限るものでない。従属項目の数に変更が生じたと判定された場合、計時部８４が各主項目に係る所要時間を実際に計時し、計時結果に基づき、所要時間の更新を行うように構成しても良い。
【００８２】
実施の形態３においては、Ｓ４０６での所要時間の情報の更新において、各主項目に係る所要時間を夫々求め、記憶部８５に新たに記憶することにより行う場合について説明したが、これに限るものでない。ＣＰＵ８１が従属項目の数の変更が生じた主項目を特定し、該主項目に係る所要時間のみを求めて既に記憶している所要時間の代わりに記憶するようにしても良い。
【００８３】
また、上述の実施の形態１，２及び３においては、投影型画像表示装置を例として説明したが、これに限るものではなく、例えばパソコン、テレビジョン受像機、ＰＤＡ（Ｐｅｒｓｏｎａｌ  Ｄｉｇｉｔａｌ  Ａｓｓｉｓｔａｎｔｓ）などにも適用できる。
【００８４】
また、上述の実施の形態１，２及び３においては、主項目及び主項目に従属する従属項目の場合を例として説明したが、これに限るものでなく、従属項目及び従属項目に更に従属する下位項目に対しても適用可能である。
【００８５】
また、上述の実施の形態１，２及び３においては、従属項目の表示において表示開始時刻を調整することにより、他の従属項目の表示完了時刻を最長所要時間に係る主項目の従属項目の表示完了時刻に一致させる場合について説明したが、これに限るものでなく、他の従属項目の表示完了時刻が、最長所要時間に係る主項目の従属項目の表示完了時刻に対して所定の誤差範囲を有するように構成しても良い。
【図面の簡単な説明】
【００８６】
【図１】本発明の実施の形態１に係る投影型画像表示装置の内部構成を示すブロック図である。
【図２】本発明の実施の形態１に係る投影型画像表示装置の制御部の要部構成を示すブロック図である。
【図３】投影型画像表示装置により被投影体に投影される主項目のみからなるメニュー画像のイメージを示す説明図である。
【図４】従属項目を説明するためのメニュー画像のイメージを示す説明図である。
【図５】従属項目の操作を説明するための説明図である。
【図６】所要時間を計時するためのＣＰＵの処理順序を説明するフローチャートである。
【図７】所要時間を計時するためのＣＰＵの処理順序を説明するフローチャートである。
【図８】本発明の実施の形態１に係る投影型画像表示装置の記憶部が記憶している情報に基づき、各主項目の従属項目の表示を同一時刻に完了させるためのＣＰＵの処理順序を説明するフローチャートである。
【図９】本発明の実施の形態２に係る投影型画像表示装置の記憶部に記憶された所要時間の情報の一例を示す例示図である。
【図１０】本発明の実施の形態２に係る投影型画像表示装置の記憶部が記憶している所要時間の情報に基づき、各主項目の従属項目の表示を同一時刻に完了させるためのＣＰＵの処理順序を説明するフローチャートである。
【図１１】本発明の実施の形態３に係る投影型画像表示装置の記憶部が記憶している所要時間の情報の更新におけるＣＰＵの処理順序を説明するフローチャートである。
【符号の説明】
【００８７】
２  投影レンズ
８  制御部
８１  ＣＰＵ
８２  ＲＯＭ
８３  ＲＡＭ
８４  計時部
８５  記憶部
１３  受付部
２０  被投影体
【図１】
2008108218.tif 000003
【図２】
2008108218.tif 000004
【図３】
2008108218.tif 000005
【図４】
2008108218.tif 000006
【図５】
2008108218.tif 000007
【図６】
2008108218.tif 000008
【図７】
2008108218.tif 000009
【図８】
2008108218.tif 000010
【図９】
2008108218.tif 000011
【図１０】
2008108218.tif 000012
【図１１】
2008108218.tif 000013